(57)【要約】【課題】入力データに依存せずにＤＣオフセット値を算出してＤＣオフセットの補正を行う。【解決手段】入力データから抽出した既知信号からＤＣオフセット値を算出するＤＣオフセット値算出部１０５と、入力データからＤＣオフセット値を減算してＤＣオフセットを補正する減算部１０４とを備える。ＤＣオフセット値算出部１０５は、入力データから抽出した既知信号の平均値を算出する平均値算出部１０１と、入力データに含まれる既知信号の理想平均値を予め算出する理想平均値算出部１０２と、平均値算出部１０１の出力から理想平均値算出部１０２の出力を減算する減算部１０３とを備える。【選択図】  図１
2004282354.tif 000002
【特許請求の範囲】
【請求項１】
入力データから抽出した既知信号からＤＣオフセット値を算出するＤＣオフセット値算出手段と、
前記入力データから前記ＤＣオフセット値を減算してＤＣオフセットを補正するＤＣオフセット補正手段と、
を具備したことを特徴とするＤＣオフセット補正装置。
【請求項２】
前記ＤＣオフセット値算出手段は、
前記入力データから抽出した既知信号の平均値を算出する平均値算出手段と、
前記入力データに含まれる既知信号の理想平均値を予め算出する理想平均値算出手段と、
前記平均値算出手段の出力から前記理想平均値算出手段の出力を減算する減算手段と、
を具備したことを特徴とする請求項１記載のＤＣオフセット補正装置。
【請求項３】
前記ＤＣオフセット値算出手段の出力の移動平均を算出するフィルタ手段を具備したことを特徴とする請求項１または２記載のＤＣオフセット補正装置。
【請求項４】
受信信号に含まれるＤＣオフセットを補正する請求項１から３のいずれか一項記載のＤＣオフセット補正装置を搭載する受信機。
【発明の詳細な説明】
【０００１】
【発明の属する技術分野】
本発明は、ＤＣオフセットを補正するＤＣオフセット補正装置に関する。
【０００２】
【従来の技術】
例えば、ダイレクトコンバーション方式受信装置のアナログ信号処理回路では、受信した信号をアナログ信号処理する際に発生するＤＣオフセットによって受信誤り率が大きくなってしまうため、ＤＣオフセットを除去する補正が行われている。このようなＤＣオフセットは出力信号の時間平均をＤＣオフセットとしている（例えば特許文献１参照）。
【０００３】
図５は従来のＤＣオフセット補正装置の構成を示すブロック図である。ＤＣオフセット補正装置５００は入力データの平均値を演算する平均値演算部５０１と、入力データから平均値演算部５０１により得られた演算結果を減算する演算を行う加算器５０２とを備える。平均値演算部５０１は入力データの平均値を求めてＤＣオフセット値を出力し、加算器５０２は入力データからＤＣオフセット値を減算する。これにより、入力データからＤＣオフセット値を除去した出力データが出力される。
【０００４】
【特許文献１】
特開平１０−９３６４７号公報（第２０−２１頁、図２）
【０００５】
【発明が解決しようとする課題】
上記従来のＤＣオフセット補正装置においては、ＤＣオフセットを含まない入力データの平均値が０であることを仮定しているため、実際の入力データの平均値が上記仮定を満たさない場合には加算器２０２で入力データにＤＣオフセットを加えてしまうことになる。
【０００６】
例えば、ＧＭＳＫ変調の場合、「００１１００１１…」となるデータを変調すると、図６に示すような変調データになり、この場合の平均値は明らかに０でないことが分かる。このように変調するデータ自体に平均値が依存してしまうため、平均値演算部５０１で算出されるＤＣオフセット値の信頼性が低くなる。
【０００７】
本発明は、かかる点に鑑みてなされたもので、入力データに依存せずにＤＣオフセット値を算出してＤＣオフセットの補正が可能なＤＣオフセット補正装置を提供することを目的とする。
【０００８】
【課題を解決するための手段】
本発明の請求項１のＤＣオフセット補正装置は、入力データから抽出した既知信号からＤＣオフセット値を算出するＤＣオフセット値算出手段と、前記入力データから前記ＤＣオフセット値を減算してＤＣオフセットを補正するＤＣオフセット補正手段とを具備する。
【０００９】
上記構成によれば、入力データに含まれる既知信号からＤＣオフセット値を算出することで、入力データから直接ＤＣオフセット値を算出する従来技術に比べて入力データに依存しないＤＣオフセット値の算出が可能になる。
【００１０】
請求項２のＤＣオフセット値補正装置は、請求項１記載のＤＣオフセット装置において、前記ＤＣオフセット値算出手段は、前記入力データから抽出した既知信号の平均値を算出する平均値算出手段と、前記入力データに含まれる既知信号の理想平均値を予め算出する理想平均値算出手段と、前記平均値算出手段の出力から前記理想平均値算出手段の出力を減算する減算手段とを具備する。
【００１１】
上記構成によれば、予め算出した既知信号の理想平均値を入力データから抽出した既知信号の平均値から減算することで、高い精度のＤＣオフセット値を算出することができる。
【００１２】
請求項３のＤＣオフセット値補正装置は、請求項１または２記載のＤＣオフセット装置において、前記ＤＣオフセット値算出手段の出力の移動平均を算出するフィルタ手段を具備する。
【００１３】
上記構成によれば、算出したＤＣオフセット値の移動平均をとることで、過去のＤＣオフセット値を現在のＤＣオフセット値に反映させて発生傾向に基づいたＤＣオフセット値を算出することができ、対象システムに適したＤＣオフセット値を用いたＤＣオフセット補正が可能となる。
【００１４】
請求項４の受信機は、受信信号に含まれるＤＣオフセットを補正する請求項１から３のいずれか一項記載のＤＣオフセット補正装置を搭載する。
【００１５】
上記構成によれば、受信信号に依存しないＤＣオフセット補正が可能となり、受信信号の誤り率を低減させることができる。
【００１６】
以下、本発明の実施の形態について図面を参照して説明する。
図１は本発明の第１の実施の形態のＤＣオフセット補正装置の構成を示すブロック図である。図１において、１００はＤＣオフセット補正装置であり、ＤＣオフセット値を算出するＤＣオフセット値算出部１０５と、算出したＤＣオフセット値を入力データから減算する減算部１０４とを備える。
【００１７】
ＤＣオフセット値算出部１０５は、平均値算出部１０１と、理想平均値算出部１０２と、減算部１０３とを備える。平均値算出部１０１は、図２に示す入力データ中の既知データ部分２０１のみを平均化して平均値を算出するものであり、加算器と割り算器もしくはビットシフトレジスタで構成される。理想平均値算出部１０２は、入力データに含まれる既知信号の理想平均値を予め算出して一定値を出力するものであり、レジスタで構成される。減算部１０３は、平均値算出部１０１の出力から理想平均値算出部１０２の出力を減算するものであり、減算回路で構成される。
【００１８】
図３は入力データから抽出した既知データの変調データとその平均値（縦軸）との関係を時系列で示している。既知データがＴＳＣ変調信号等の場合、平均値算出部１０１で算出した既知データの平均値（０．１５３）が０にならないため、算出した平均値は正しいオフセット値とは言えない。そこで、理想平均値算出部１０２で既知データの平均値の０からのずれを示す一定値（０．１５３）を出力する。減算器１０３は算出した既知データの平均値（０．１５３）から一定値（０．１５３）を減算する。これにより精度の高いＤＣオフセット値が得られる。
【００１９】
本実施の形態によれば、入力データに含まれる既知信号からＤＣオフセット値を算出することで、入力データから直接ＤＣオフセット値を算出する従来技術に比べて入力データに依存しないＤＣオフセット値の算出が可能になる。そして、予め算出した既知信号の理想平均値を入力データから抽出した既知信号の平均値から減算することで、高い精度のＤＣオフセット値を算出することができる。
【００２０】
図４は本発明の第２の実施の形態のＤＣオフセット補正装置の構成を示すブロック図である。図４において、４００はＤＣオフセット補正装置であり、ＤＣオフセット値を算出するＤＣオフセット値算出部４０１と、算出したＤＣオフセット値の移動平均をとるフィルタ４０２と、算出したＤＣオフセット値（移動平均）を入力データから減算する減算部４０３とを備える。
【００２１】
ＤＣオフセット値算出部４０１は、入力データから抽出した既知信号からＤＣオフセット値を算出するものであり、実施の形態１のＤＣオフセット値算出部１０５で構成される。フィルタ４０２は入力される平均値のｎ回の移動平均を算出する。
【００２２】
本実施の形態によれば、入力データに含まれる既知信号からＤＣオフセット値を算出することで、入力データから直接ＤＣオフセット値を算出する従来技術に比べて入力データに依存しないＤＣオフセット値の算出が可能になる。そして、算出したＤＣオフセット値の移動平均をとることで、過去のＤＣオフセット値を現在のＤＣオフセット値に反映させて発生傾向に基づいたＤＣオフセット値を算出することができ、対象システムに適したＤＣオフセット値を用いたＤＣオフセット補正が可能となる。
【００２３】
以上説明した実施の形態１、２のＤＣオフセット補正装置を無線通信システムにおける受信機に搭載するすることで、受信信号に依存しないＤＣオフセット補正が可能となり、受信信号の誤り率を低減させることができる。無線通信方式における受信信号に含まれる既知既知信号として、ＧＳＭのトレーニングシーケンスコードを利用することができる。
【００２４】
【発明の効果】
以上説明したように、本発明によれば、入力データに含まれる既知信号からＤＣオフセット値を算出することで、入力データから直接ＤＣオフセット値を算出する従来技術に比べて入力データに依存しないＤＣオフセット値を算出してＤＣオフセットの補正が可能となる。
【００２５】
また、算出したＤＣオフセット値の移動平均をとることで、過去のＤＣオフセット値を現在のＤＣオフセット値に反映させて発生傾向に基づいたＤＣオフセット値を算出することができ、対象システムに適したＤＣオフセット値を用いたＤＣオフセット補正が可能となる。
【図面の簡単な説明】
【図１】本発明の第１の実施の形態のＤＣオフセット補正装置の構成を示すブロック図。
【図２】入力データの構成を示す図。
【図３】入力データから抽出した既知データの変調データとその平均値（縦軸）との関係を時系列で示す図。
【図４】本発明の第２の実施の形態のＤＣオフセット補正装置の構成を示す図。
【図５】従来のＤＣオフセット補正装置の構成を示すブロック図。
【図６】入力データの変調データとその平均値（縦軸）との関係を時系列で示す図。
【符号の説明】
１００  ＤＣオフセット補正装置
１０１  平均値算出部
１０２  理想平均値算出部
１０３  減算部
１０４  減算部
１０５  ＤＣオフセット値算出部
２０１  入力データの既知データ部分
４００  ＤＣオフセット補正装置
４０１  ＤＣオフセット値算出部
４０２  フィルタ
４０３  減算部
【図１】
2004282354.tif 000003
【図２】
2004282354.tif 000004
【図３】
2004282354.tif 000005
【図４】
2004282354.tif 000006
【図５】
2004282354.tif 000007
【図６】
2004282354.tif 000008